(57)【要約】    【課題】  幅及び長さが異なるボトムにも取り付け可能で、マットレスの厚さに応じて取り付け高さを調整することができ、ボトムへの取り付けが容易な落下防止装置及びその取り付け方法を提供する。    【解決手段】  ポリエステル繊維製の芯材を内側に発泡ウレタン樹脂シートが貼り付けられたカバーで覆い、上部には一方の長辺を除く３辺が側壁１ｂで囲まれた平坦部１ａが形成されているサポート部本体１の凹部１ｃに、このサポート部本体１とベッドのボトムとを連結するＬ字型のブラケット２のサポート部取付部２ｂが、インサートナットによりねじ留めされ、ブラケット２のボトム取付部２ａの裏面側に、固定金具３が蝶ねじ４により仮留めされている。そして、この落下防止装置をベッドに取り付ける際は、ボトムの隙間を通して固定金具３をボトムの床側の面に配置した後、固定金具３を９０°回転させ、蝶ねじ４を締め付けることにより、ブラケット２をボトムに固定する。【選択図】    図１
2005087410.tif 000002
【特許請求の範囲】
【請求項１】
ベッドに取り付けられ使用者が落下することを予防する落下予防装置において、ベッド上に設置されたマットレスの上面より突出し一方の側面と前記マットレスの長手方向と平行な側面とが接触するように配置されるサポート部本体と、このサポート部本体に脱着自在に取り付けられ前記サポート部本体と前記ベッドのボトムとを連結する連結部材と、中央部に前記ボトムに設けられている隙間に嵌合する凸部が形成された固定用部材と、前記固定用部材と前記連結部材とを連結するねじと、を有し、前記連結部材と前記固定用部材とで前記ボトムを挟み込みことにより前記ボトムに固定されることを特徴とする落下予防装置。
【請求項２】
前記連結部材を前記サポート部本体に取り付ける位置は前記サポート部本体の高さ方向に変更可能であることを特徴とする請求項１に記載の落下予防装置。
【請求項３】
前記サポート部本体の上部には握持するグリップが設けられていることを特徴とする請求項１又は２に記載の落下予防装置。
【請求項４】
上部がベッド上に設置されたマットレスの上面より突出し、一方の側面と前記マットレスの長手方向と平行な側面とが接触する位置に前記サポート部本体を配置すると共に、このサポート部本体に脱着自在に取り付けられた連結部材を前記ベッドのボトムの上面に配置し、中央部に前記ボトムに設けられている隙間に嵌合する凸部が形成された固定用部材を前記ボトムの下面に配置して前記凸部を前記ボトムの隙間に嵌合させ、前記連結部材と前記固定用部材とをねじで締めつけることにより、前記連結部材を前記ボトムに固定することを特徴とする落下予防装置の取り付け方法。
【発明の詳細な説明】
【技術分野】
【０００１】
本発明はベッドに取り付けられる落下予防装置及びその取り付け方法に関し、特に、背の部分を起こすことができるギャッチベッドでも使用可能な落下予防装置及びその取り付け方法に関する。
【背景技術】
【０００２】
一般に、病院等で使用される介護用ベッドには、使用者がベッドから落下することを予防するため、両サイドに金属等で形成された柵（以下、サイドレールという）が取り付けられている。しかしながら、このような従来の落下予防装置は、使用者の身体より高い位置まで設けられているため使用者に圧迫感を与えると共に、使用者の落下予防しか考慮されていないという問題がある。
【０００３】
そこで、ポリエステル繊維等の芯材を表地で覆ったブロック状のソフトパッド（以下、サイドサポートという）を、ベッドのサイドフレームに固定して落下を予防する方法が開発されている（例えば、特許文献１乃至３参照。）。特許文献１乃至３に記載のサイドサポートは、その高さをサイドレール等の従来の落下予防装置より低くし、使用者が寝返りをしたときに落下しないように支えることができる最低限の高さにしているため、使用者に圧迫感を与えずに落下を予防することができる。また、このサイドサポートは、マットレスの長手方向と平行な側面に接するように配置されるため、使用者の寝返り等によるマットレスのずれを防止することができる。
【０００４】
一方、高齢化社会において、寝たきりの患者が増加しているが、医療上、食事、テレビ鑑賞又は読書等のために、患者の上半身をベッド上で起こす必要がある。そこで、ベッドの背ボトム及び膝ボトムを起こしたり、下げたりすることができるギャッチベッドが開発されている。このようなギャッチベッドに前述の特許文献１乃至３に記載のサイドサポートを取り付けた場合、サイドサポートはベッドのフレームに取り付けられているため、背ボトム及び膝ボトムを起こしたときにサイドサポートが使用者から離れてしまい、落下予防効果が得られないという問題がある。そこで、サイドサポートをボトムに固定する方法が提案されている（例えば、特許文献４乃至７参照）。これにより、サイドサポートがボトムと一緒に上昇するため、背ボトム及び膝ボトムを起こしても使用者の落下を予防することができる。
【０００５】
【特許文献１】特開２００２−２００１２３号公報  （第２−３頁、第１−２図）
【特許文献２】特開２００２−３５５１４８号公報  （第２−３頁、第１−２図）
【特許文献３】特開２００３−６１７８３号公報  （第３−６頁、第５−１０図）
【特許文献４】特開２００３−６２０１８号公報  （第３−４頁、第３図）
【特許文献５】特開２００３−３３２５５号公報  （第３−４頁、第４図）
【特許文献６】特開２００３−３８３０２号公報  （第４−５頁、第５図）
【特許文献７】特開２００３−５２７６６号公報  （第５頁、第８−９図）
【発明の開示】
【発明が解決しようとする課題】
【０００６】
しかしながら、上述の従来の技術には以下に示す問題点がある。近時、介護用ベッドは利用者のニーズが多様化しており、介護用ベッドに取り付ける落下予防装置は利用者が必要に応じて選択できるように、ベッドとは別にオプションとして製品化されている。しかしながら、従来の落下予防装置は、主に、病院ベッド用に開発されているため、介護用ベッドに適用した場合、使い勝手、コスト、重量及び寸法等の面で問題がある。
【０００７】
また、介護用ベッドは、その種類によって幅及び長さが異なるため、幅又は長さが異なるボトムにも取り付け可能な落下予防装置が求められている。更に、ベッドと組み合わせるマットレスの厚さが変わっても対応できるように、取り付け高さを調整することができる落下予防装置も求められている。
【０００８】
本発明はかかる問題点に鑑みてなされたものであって、幅及び長さが異なるボトムにも取り付け可能で、マットレスの厚さに応じて取り付け高さを調整することができ、ボトムへの取り付けが容易な落下予防装置及びその取り付け方法を提供することを目的とする。
【課題を解決するための手段】
【０００９】
本願第１発明に係る落下予防装置は、ベッドに取り付けられ使用者が落下することを予防する落下予防装置において、ベッド上に設置されたマットレスの上面より突出し一方の側面と前記マットレスの長手方向と平行な側面とが接触するように配置されるサポート部本体と、このサポート部本体に脱着自在に取り付けられ前記サポート部本体と前記ベッドのボトムとを連結する連結部材と、中央部に前記ボトムに設けられている隙間に嵌合する凸部が形成された固定用部材と、前記固定用部材と前記連結部材とを連結するねじと、を有し、前記連結部材と前記固定用部材とで前記ボトムを挟み込みことにより前記ボトムに固定されることを特徴とする。
【００１０】
本発明においては、落下予防装置をベッドのボトムに取り付けることができるため、ギャッチベッドのようにボトムの一部を起こすことができるベッドにおいても、使用者の落下を予防する効果が得られ、使用者の安全を確保することができる。また、ボトムの隙間を利用して連結部材を固定するため、ベッドの状態に応じて取り付け方法を選択することができると共に、ボトムの幅に応じて取り付け位置を調節することができ、長さ及び幅が異なるベッド、並びに既存のベッドにも取り付けが可能である。更に、固定用部材と連結部材とがねじを介して連結されており、このねじを締めつけることにより、ベッドに取り付けることができるため、従来の落下予防装置に比べて取り付け作業が容易になる。
【００１１】
前記連結部材を前記サポート部本体に取り付ける位置は、例えば、前記サポート部本体の高さ方向に変更することができる。これにより、厚さの異なるマットレスにも対応することができる。また、前記サポート部本体の上部には握持するグリップが設けられていてもよい。これにより、使用者がベッド上で寝返りする際及び起きあがる際に掴まることができるため、姿勢保持がしやすくなり、使用者の利便性が向上する。
【００１２】
本願第２発明に係る落下予防装置の取り付け方法は、上部がベッド上に設置されるマットレスの上面より突出し、一方の側面と前記マットレスの長手方向と平行な側面とが接触するように前記サポート部本体を配置すると共に、このサポート部本体に脱着自在に取り付けられた連結部材を前記ベッドのボトムの上面に配置し、中央部に前記ボトムに設けられている隙間に嵌合する凸部が形成された固定用部材を前記ボトムの下面に配置して前記凸部を前記ボトムの隙間に嵌合させ、前記連結部材と前記固定用部材とをねじで締めつけることにより、前記連結部材を前記ボトムに固定することを特徴とする。
【００１３】
本発明においては、固定用部材と連結部材とでベッドのボトムを挟み込み、ねじを締めつけることにより前記連結部材を前記ボトムに固定するため、従来の落下予防装置に比べて取り付け作業が容易であり、また、ボトムの寸法及びマットレスの厚さ等が異なるベッドにも取り付けることが可能である。
【発明の効果】
【００１４】
本発明によれば、ボトムの隙間を利用して落下予防装置をボトムに固定することができ、また、ボトムのマットレス側の面又は床側の面のどちらからでもねじを締めつけることができるため、ボトムへの取り付けが容易になると共に幅及び長さが異なるボトムにも取り付け可能になり、更に、ブラケットを取り付ける位置を変更することができるため、落下予防装置の取り付け高さを調節することが可能になる。
【発明を実施するための最良の形態】
【００１５】
以下、本発明の第１実施形態に係る落下予防装置について、添付の図面を参照して具体的に説明する。図１は本発明の第１実施形態の落下予防装置を示す斜視図であり、図２（ａ）乃至（ｃ）は図１に示す落下予防装置の各部品を示す斜視図であり、（ａ）はサポート部本体、（ｂ）はブラケット、（ｃ）は固定金具を示す。図１及び図２（ａ）乃至（ｃ）に示すように、本発明の第１実施形態の落下予防装置は、使用者の落下を予防するサポート部本体１に、このサポート部本体１とボトムとを連結する連結部材であるＬ字型のブラケット２が取り付けられており、更に、ブラケット２をボトムに固定する固定用部材である固定金具３が、蝶ねじ４によりブラケット２に連結されている。
【００１６】
本実施形態の落下予防装置におけるサポート部本体１は、例えば、ポリエステル繊維製の芯材又は樹脂成形体等を、内側にウレタン等の発泡性樹脂製シートが貼り付けられたカバーで覆ったものであり、その上部には一方の長辺を除く３辺が側壁１ｂで囲まれた平坦部１ａが形成されている。本実施形態の落下予防装置は、側壁１ｂが設けられていない側をベッド側に向け、平坦部１ａとマットレスの上面とを同じ高さにし、マットレスと落下防止予防装置との間に隙間が生じないようにしてベッドに取り付ける。これにより、平坦部１ａの分だけマットレスの幅が広くなるため、使用者に圧迫感を与えずに、ベッドサイドに落下予防装置を設けることができる。
【００１７】
また、サポート部本体１の側壁１ｂが設けられていない側（ベッド側）の側面には、ブラケット２の厚さと同等の深さの凹部１ｃが形成されており、この凹部１ｃには、ブラケット２のサポート部取付部２ｂが嵌め込まれており、ねじによりサポート部本体１に固定されている。このように、ブラケット２は、凹部１ｃに嵌め込まれた状態でねじ留めされているため、サポート部本体１のベッド側の側面を平坦にすることができ、落下予防装置をベッドに取り付けた際に、マットレスとサポート部本体１とを密着させることができる。また、蝶ねじ４が挿入される孔が設けられているブラケット２のボトム取付部２ａは、その上に配置されるマットレスに影響を与えないように、凹凸が少なく、ボトムの形状と略等しい形状になっている。
【００１８】
更に、図２（ｃ）に示すように、本実施形態の落下予防装置における固定金具３は、中央部にボトムの隙間に嵌合する凸部が形成されおり、この凸部に蝶ねじ４と噛合するねじ孔（雌ねじ）が形成されている。
【００１９】
なお、サポート部本体１の凹部１ｃには、ブラケット２をねじ留めするためのねじ孔（雌ねじ）が設けられているが、このねじ孔をサポート部本体の高さ方向に複数個形成し、ブラケット２の取り付け位置をサポート部本体高さ方向に変更することにより、落下予防装置の取り付け高さを調節することができる。
【００２０】
次に、本実施形態の落下予防装置の取り付け方法を説明する。図３（ａ）は図１に示す落下予防装置がベッドに取り付けられた状態を示す斜視図であり、図３（ｂ）はその取り付け部の拡大図である。また、図４は本実施形態の落下予防装置の取り付け方法を示す断面図であり、図５は図４に示すねじ留め部をボトムの床側の面側から見た平面図である。更に、図６（ａ）及び（ｂ）は取り付け後の蝶ねじ及び固定金具の状態を示す断面図である。なお、図４は、図３（ｂ）に示すＡ−Ａ線による断面図に相当し、図６（ａ）はその拡大断面図であり、図６（ｂ）は図３（ｂ）に示すＢ−Ｂ線による断面図に相当する。本実施形態の落下予防装置においては、先ず、サポート部本体１に取り付けられたブラケット２の孔に蝶ねじ４を挿入し、ブラケット２の下面側に固定金具３を配置して、蝶ねじ４により仮留めする（図１）。
【００２１】
次に、この落下予防装置をベッドの所定の位置、例えば、図３（ａ）に示すように、使用者の頭側及び足側の両サイドに配置する。このとき、図３（ｂ）に示すように、ブラケット２のボトム取付部２ａはボトム５のマットレス側の面に配置する。そして、図４及び図５の左側に示されるように、ボトム５の隙間を通して固定金具３をボトム５の床側の面に配置する。その後、図４及び図５の右側に示すように、固定金具３をボトム５の隙間から抜けないように９０°回転させて、蝶ねじ４を締めつける。これにより、図６（ａ）及び（ｂ）に示すように、固定金具３の凸部がボトム５の隙間に嵌合し、ボトム５は固定金具３とブラケット２とでボトム５を挟み込まれ、ブラケット２がボトム５に固定される。本実施形態の落下予防装置においては、固定金具３の凸部がボトム５の隙間に嵌合する形状であり、蝶ねじ４を締めつけるだけで、固定金具３を所定の位置に配置することができるため、作業者が精密な位置決めを行う必要がなく、ベッドへの取り付けが容易である。
【００２２】
次に、本実施形態の変形例に係る落下予防装置について説明する。前述の第１実施形態においては、ボトム５のマットレス側の面側から蝶ねじ４を締めつける方法について述べたが、本発明はこれに限定されるものではなく、例えば、ベッドのボトム５を起こした状態で、サポート部本体１に取り付けられたブラケット２をボトムに取り付けることもできる。図７（ａ）及び（ｂ）は本変形例の落下予防装置においてブラケットに固定用部材を取り付ける方法を示す斜視図であり、図８（ａ）及び（ｂ）はその断面図である。また、図９（ａ）及び（ｂ）は本変形例の落下予防装置の取り付け方法をその工程順に示す断面図である。先ず、図７（ｂ）及び図８（ａ）に示すように、サポート部本体１に取り付けられたブラケット２のボトム取付部２ａの凹部に設けられた孔に、ボルト６を挿通してナット７で固定する。次に、図８（ｂ）に示すように、固定金具３に設けられた孔にボルト６を挿通し、蝶ナット８により固定金具３をブラケット２に仮留めする。次に、図９（ａ）に示すように、ブラケット２をボトム５のマットレス側の面に配置し、固定金具３及び蝶ナット８をボトム５の隙間を通して床側の面側に配置する。そして、図９（ｂ）に示すように、固定金具３を９０°回転させた後、ボトム５の床側の面側から蝶ナット８を締めつけて、ブラケット２をボトム５に固定する。なお、上述の取り付け方法はサイドサポートに限定されるものではなく、サイドレール等の従来の落下予防装置にも適用することができる。
【００２３】
このように、本実施形態の落下予防装置は、ボトム５に取り付けられるため、ギャッチベッドのようにボトムの一部を起こすことができるベッドにおいても、落下を予防する効果が得られ、使用者の安全を確保することができる。また、ベッドの状態に応じて取り付け方法を選択することができ、ボトム５への取り付けが容易である。更に、各落下予防装置は独立しており、ボトムの幅に応じて取り付け位置を調節することができるため、長さ及び幅が異なるベッド、並びに既存のベッドにも取り付けが可能である。更にまた、サポート部本体１にブラケット２を取り付ける位置を変更することで、落下予防装置の高さを調節することができるため、マットレスの厚さが異なる場合にも対応することができる。その結果、介護用ベッドに適用した場合に利用者の安全性を確保することができる共に、種類が異なるベッドでも共通に使用することができるため、レンタル業者における管理が容易になる。
【００２４】
次に、本発明の第２実施形態に係る落下予防装置について説明する。図１０（ａ）は本発明の第２の実施形態の落下予防装置におけるサポート部本体を示す斜視図であり、図１０（ｂ）は本発明の第２の実施形態の落下予防装置をベッドに取り付けた状態を示す斜視図である。一般に、サイドサポートは、使用者がベッドに乗降する際に邪魔にならず、また使用者の圧迫感を低減するため等の理由から、サイドレール等の従来の落下予防装置に比べて高さが低く設定されている。そのため、サイドレールのように使用者が掴むことができる部位が設けられておらず、ベッド上の使用者が寝返り又は起きあがる際に掴まるものがなかった。
【００２５】
そこで、本実施形態の落下予防装置においては、図１０（ａ）に示すように、サポート部本体１１の上部に、使用者が掴まることができるグリップ部１２が設けられている。なお、このグリップ部１２以外の構造及びベッドへの取り付け方法は前述の第１実施形態の落下予防装置と同様である。図１０（ｂ）に示すように、本実施形態の落下予防装置を使用者の頭側のサイドに取り付けることにより、ベッド上の使用者が寝返り、起きあがり時及び端座位になる際に掴まることができるため、姿勢を保持しやすくなり、使用者の利便性が向上すると共に使用者の自立を促すことができる。
【００２６】
なお、前述の第１及び第２実施形態においては、ギャッチベッドに使用することを想定し、落下予防装置を使用者の頭側及び足側の両サイドに取り付け、頭側と足側の間、即ち、中間部の両サイドには設けな場合について述べたが、ベッドを起こす必要がない場合、又はギャッチベッドではないベッドに適用する場合には、中央部分のみ又はベッドサイド全てに落下予防装置を取り付けることもでき、サポート部本体の長さも用途に応じて適宜設定することができる。
【図面の簡単な説明】
【００２７】
【図１】本発明の第１実施形態の落下予防装置を示す斜視図である。
【図２】（ａ）乃至（ｃ）は図１に示す落下予防装置の各部品を示す斜視図であり、（ａ）はサポート部本体、（ｂ）はブラケット、（ｃ）は固定金具を示す。
【図３】（ａ）は図１に示す落下予防装置をベッドに取り付けた状態を示す斜視図であり、（ｂ）はその取り付け部の拡大図である。
【図４】本発明の第１実施形態の落下予防装置の取り付け方法を示す断面図であり、図３（ｂ）に示すＡ−Ａ線による断面図に相当する。
【図５】図４に示すねじ留め部をボトムの床側の面側から見た平面図である。
【図６】（ａ）及び（ｂ）は締め付け後の蝶ねじ及び固定金具の状態を示す断面図であり、（ａ）は図４の拡大断面図であり、（ｂ）は図３（ｂ）に示すＢ−Ｂ線による断面図に相当する。
【図７】（ａ）及び（ｂ）は本発明の第１実施形態の変形例の落下予防装置においてブラケットに固定用部材を取り付ける方法を示す斜視図である。
【図８】（ａ）及び（ｂ）は本発明の第１実施形態変形例の落下予防装置においてブラケットに固定用部材を取り付ける方法を示す断面図である。
【図９】（ａ）及び（ｂ）は本発明の第１実施形態の変形例の落下予防装置における取り付け方法をその工程順に示す断面図である。
【図１０】（ａ）は本発明の第２の実施形態の落下予防装置におけるサポート部本体を示す斜視図であり、（ｂ）は（ａ）に示す落下予防装置をベッドに取り付けた状態を示す斜視図である。
【符号の説明】
【００２８】
１、１１；サポート部本体
１ａ：平坦部
１ｂ；側壁
１ｃ；凹部
２；ブラケット
２ａ；ボトム取付部
２ｂ；サポート部取付部
３；固定金具
４；蝶ねじ
５；ボトム
６：ボルト
７：ナット
８：蝶ナット
１２；グリップ部
【図１】
2005087410.tif 000003
【図２】
2005087410.tif 000004
【図３】
2005087410.tif 000005
【図４】
2005087410.tif 000006
【図５】
2005087410.tif 000007
【図６】
2005087410.tif 000008
【図７】
2005087410.tif 000009
【図８】
2005087410.tif 000010
【図９】
2005087410.tif 000011
【図１０】
2005087410.tif 000012